(57)【要約】【課題】収納庫自体を軽量にし、収納庫の設置を容易にすると共に、水平調整を容易に行えるようにした収納庫を提供すること。【解決手段】一側に開閉扉２を有すると共に、底壁体１１の下面に複数のキャスタ３を装着してなる収納庫本体１０と、収納庫本体１０の重量を受ける架台２０とを具備する収納庫１において、架台２０に、収納庫本体１０の底壁体１１と床面Ｙとの間に挿入可能な枠体２１と、枠体２１に設けられる貫通孔２２を介して挿入される工具によって高さ調節可能な複数のアジャスタ２３とを設ける。収納庫本体１０の底壁体１１に、架台２０の貫通孔２２と連通する工具案内用貫通孔１９を設け、底壁体１１の下面に、架台２０の位置決め用ガイド３０を設ける。【選択図】　図１
2004016610.tif 000002
【特許請求の範囲】
【請求項１】
一側に開閉扉を有すると共に、底壁体下面に複数のキャスタを装着してなる収納庫本体と、上記収納庫本体の重量を受ける架台と、を具備する収納庫において、
上記架台は、上記収納庫本体の底壁体と床面との間に挿入可能な枠体と、この枠体に設けられる貫通孔を介して挿入される工具によって高さ調節可能な複数のアジャスタと、を具備し、
上記収納庫本体の底壁体に、上記架台の貫通孔と連通する工具案内用貫通孔を設け、底壁体の下面に、上記架台の位置決め用ガイドを設けた、ことを特徴とする収納庫。
【請求項２】
請求項１記載の収納庫において、
上記位置決め用ガイドは、架台の両側位置を規制する少なくとも１組の側部ガイド部材と、上記架台の奥行き側位置を規制するストッパ兼用ガイド部材とからなることを特徴とする収納庫。
【請求項３】
請求項２記載の収納庫において、
上記側部ガイド部材における架台挿入側の端部に、外側に向かって拡開するテーパ部を形成してなることを特徴とする収納庫。
【請求項４】
請求項１ないし３のいずれかに記載の収納庫において、
上記収納庫本体の側壁体間に棚板を架設可能に形成し、上記収納庫本体の下面における上記側壁体の下方位置に、高さ調節可能な補助アジャスタを設けてなることを特徴とする収納庫。
【請求項５】
請求項１ないし４のいずれかに記載の収納庫において、
上記架台の枠体に、開閉扉の自由端側下部の下がりを防止する扉下がり防止部材を装着してなることを特徴とする収納庫。
【発明の詳細な説明】
【０００１】
【発明の属する技術分野】
この発明は、収納庫に関するもので、例えば野菜，果実，穀物あるいは飲料水等を収納するキャスタを有する収納庫本体と、収納庫本体の重量を受ける架台とからなる収納庫に関するものである。
【０００２】
【従来の技術】
一般に、この種の収納庫には、一側に開閉扉を有する箱状の収納庫の設置あるいは移設のために底壁体の下面における四隅に、キャスタを装着したものが多く使用されている。
【０００３】
従来のこの種の収納庫として、収納庫の底壁体の下面にキャスタと高さ調整可能なねじジャッキ式のアジャスタとを設け、キャスタにより収納庫を移動した後、アジャスタを高さ調節してキャスタを固定し、かつレベル調整を行なう構造を有する収納庫が知られている（特開平１１−２４５９９２号公報参照）。また、別の形態の収納庫として、高さ調節自在なキャスタを有する収納庫本体と、収納庫本体を固定する据付け用架台とを具備し、キャスタにより収納庫本体を据付け用架台上に移動した後、キャスタを架台の高さよりも低い高さとなるように調節して設置するようにした構造のものが知られている（特開２０００−６６０７参照）。
【０００４】
【発明が解決しようとする課題】
しかしながら、前者すなわち特開平１１−２４５９９２号公報に記載の収納庫は、収納庫の底壁体側に装着されるアジャスタ及びキャスタに、収納庫自体の重量と収納物（例えば玄米）の荷重に耐え得る強度を必要とし、かつ底壁体にもこれらの荷重、特に圧縮荷重及び曲げ荷重に耐え得る補強材の取付けを必要とするため、収納庫自体が堅牢な構造となり、収納庫の製造コストが高くつくという問題があった。
【０００５】
また、後者すなわち特開２０００−６６０７に記載の収納庫においては、架台によって収納庫本体の荷重（重量）を受けることができるので、前者に比べて収納庫本体の軽量化を図ることができる。しかし、この構造のものにおいては、一般に平坦かつ水平でなく、凹凸を有するコンクリート等の床面に、据付け用架台を設置し、この架台の上に収納庫本体の底壁体を載置した状態で設置するため、水平に設置するためには、架台と床面との隙間に別途ライナー等を挿入する必要があり、架台の設置に手間が掛かるばかりか、微調整ができないという問題があった。また、架台を水平に設置できたとしても、収納庫本体を載置したとき、水平になるとは保証できず、再度調整する必要があるので、収納庫の設置作業が煩雑であるという問題があった。更には、部屋の入隅コーナー部に設置された架台に対して収納庫を設置する場合には、底壁体に装着されたキャスタのうち、入隅コーナー部の最も奥部のキャスタのみを、床面より離れるように高さ調整しておき、残りキャスタの高さを、据付け用架台の高さを越えるように調整した状態で、収納庫本体を架台側に移動するため、収納庫本体のバランスを取りながら移動する必要があり、このような場合においても、収納庫の設置作業が煩雑であるという問題があった。
【０００６】
この発明は、上記事情に鑑みてなされたもので、収納庫自体を軽量にし、収納庫の設置を容易にすると共に、水平調整を容易に行えるようにした収納庫を提供することを目的とするものである。
【０００７】
【課題を解決するための手段】
上記課題を解決するために、この発明の収納庫は、一側に開閉扉を有すると共に、底壁体下面に複数のキャスタを装着してなる収納庫本体と、上記収納庫本体の重量を受ける架台と、を具備する収納庫において、　上記架台は、上記収納庫本体の底壁体と床面との間に挿入可能な枠体と、この枠体に設けられる貫通孔を介して挿入される工具によって高さ調節可能な複数のアジャスタと、を具備し、上記収納庫本体の底壁体に、上記架台の貫通孔と連通する工具案内用貫通孔を設け、底壁体の下面に、上記架台の位置決め用ガイドを設けた、ことを特徴とする（請求項１）。
【０００８】
この発明において、上記位置決めガイドは、架台に設けられた貫通孔と、収納庫本体の底壁体に設けられた工具案内用貫通孔とを連通させるように位置決めできるものであれば、その構造は任意でよいが、好ましくは、上記位置決め用ガイドを、架台の両側位置を規制する少なくとも１組の側部ガイド部材と、上記架台の奥行き側位置を規制するストッパ兼用ガイド部材とで構成する方がよい（請求項２）。この場合、上記側部ガイド部材における架台挿入側の端部に、外側に向かって拡開するテーパ部を形成する方が好ましい（請求項３）。
【０００９】
また、上記収納庫本体の側壁体間に棚板を架設可能に形成し、上記収納庫本体の下面における上記側壁体の下方位置に、高さ調節可能な補助アジャスタを設ける方が好ましい（請求項４）。
【００１０】
加えて、上記架台の枠体に、開閉扉の自由端側下部の下がりを防止する扉下がり防止部材を装着する方が好ましい（請求項５）。
【００１１】
請求項１記載の発明によれば、設置したい場所に収納庫本体を移動した後、収納庫本体の下部に架台を挿入し、収納庫本体の底壁体に設けられた工具案内貫通孔と架台に設けられた貫通孔を介して挿入される工具をもってアジャスタを高さ調節することにより、キャスタを床面から浮き上がらせた状態にして、収納庫本体の荷重を架台にて支持することができる。したがって、収納庫本体自体を堅牢な構造とする必要がなく、軽量にすることができる。また、床面が平坦でなく、凹凸を有する場合においても、各アジャスタを高さ調節することにより、収納庫本体を容易に水平にすることができる。
【００１２】
請求項２記載の発明によれば、位置決め用ガイドを、架台の両側位置を規制する少なくとも１組の側部ガイド部材と、架台の奥行き側位置を規制するストッパ兼用ガイド部材とで構成することにより、収納庫本体と床面との間への架台の挿入を容易にすることができると共に、収納庫本体の工具案内用貫通孔と、架台の貫通孔とを正確に連通状態に位置決めすることができる。この場合、側部ガイド部材における架台挿入側の端部に、外側に向かって拡開するテーパ部を形成することにより、更に架台の挿入を容易にすることができる（請求項３）。
【００１３】
請求項４記載の発明によれば、収納庫本体の側壁体間に棚板を架設可能に形成し、収納庫本体の下面における側壁体の下方位置に、高さ調節可能な補助アジャスタを設けることにより、収納庫本体内に架設された棚板に載置される収納物の荷重を受ける側壁体を補助アジャスタにて支持することができる。したがって、収納庫本体及び収納庫本体内に収納される収納物の荷重（重量）を、架台に装着された複数のアジャスタと、収納庫本体の側壁体の下面に設けられた補助アジャスタとで分散して支持する（受ける）ので、収納庫全体強度を向上させることができる。
【００１４】
請求項５記載の発明によれば、架台の枠体に、開閉扉の自由端側下部の下がりを防止する扉下がり防止部材を装着することにより、不用意に開閉扉の自由端側が下がるのを防止することができる。したがって、開閉扉の開閉を円滑にすることができると共に、開閉扉の閉塞状態における収納庫内と外気の遮断性の維持が図れ、かつ、収納庫本体の変形を防止することができ、収納庫本体の寿命の拡大が図れる。
【００１５】
【発明の実施の形態】
以下に、この発明の収納庫の実施形態を添付図面に基づいて詳細に説明する。図１は、この発明に係る収納庫を玄米収納庫に適用した場合の一例を示すもので、一部を断面で示す斜視図、図２は、一部を断面で示す収納庫の正面図、図３は、収納庫の底面図、図４は、この発明における架台と収納庫本体の底部とを示す分解斜視図である。
【００１６】
上記収納庫１は、一側に開閉扉２を有すると共に、底壁体１１の下面に複数のキャスタ３を装着してなる収納庫本体１０と、収納庫本体１０の重量を受ける架台２０とで主に構成されている。
【００１７】
収納庫本体１０は、矩形状の底壁体１１と、この底壁体１１の両側辺及び両側辺の一端側辺にそれぞれ立設する３枚の矩形状の側壁体１２ａ，１２ｂ，１２ｃと、側壁体１２ａ，１２ｂ，１２ｃの上端に覆設される矩形状の天井壁体１３とからなる箱状に形成されており、一側の開口部１４には、観音開きの開閉扉２がヒンジ４を介して開閉可能に装着されている。
【００１８】
この場合、底壁体１１、側壁体１２ａ，１２ｂ，１２ｃ及び天井壁体１３は、それぞれ一対の例えばアルミニウム製の表面板１５と、両表面板１５の辺部同士を連結する例えばアルミニウム製押出形材にて形成される側枠１６と、表面板１５と側枠１６とで形成される空間内に充填される例えば発泡ポリウレタン製の断熱性心材１７とで構成されている。
【００１９】
上記底壁体１１の下面における両側｛具体的には、側壁体１２ａ，１２ｂの下方位置｝には、例えばアルミニウム製の押出形材にて形成される中空矩形状の取付枠１８がねじ等の固定部材（図示せず）をもって固定されており、これら取付枠１８の両端すなわち底壁体１１の四隅位置にキャスタ３が装着されている。これらキャスタ３は、取付枠１８の下片１８ａに設けられた透孔１８ｂに連通するように下片１８ａの下面に固定される固定ナット３ａに貫通状にねじ結合される取付ボルト３ｂと、取付ボルト３ｂにベアリング部３ｃを介して連結される逆Ｕ字状のブラケット３ｄと、ブラケット３ｄの両側垂下片にピン３ｅを介して回転自在に装着される車輪３ｆとで構成されている。このように構成されるキャスタ３は、ベアリング部３ｃによって水平方向に回転（旋回）自在に形成されている。これにより、収納庫本体１０は、水平の３６０度の範囲を自由に方向を変えて移動することができる。
【００２０】
また、各取付枠１８の中間部には、高さ調節可能な補助アジャスタ４０が装着されている。この補助アジャスタ４０は、図８に示すように、取付枠１８の下片１８ａに設けられた透孔１８ｂに連通するように下片１８ａの下面に固定されるダブルナット４１と、このダブルナット４１にねじ込まれるボルト４２と、このボルト４２の下端に一体に形成され、かつ外周面に凹凸細条４３を形成した円柱状の高さ調節脚部４４とで構成されている。なお、この場合、補助アジャスタ４０の高さ調節脚部４４は、外周面に凹凸細条４３を形成した円柱状に形成されているが、必ずしもこのような円柱状である必要はなく、六角頭部にて形成してもよい。
【００２１】
また、底壁体１１おける両取付枠１８の内方側の両端及び中間部には、工具例えばドライバＤが挿入可能な大きさの６個の工具案内用貫通孔１９が設けられている。これら工具案内用貫通孔１９は、図５ないし図８及び図１０に示すように、底壁体１１の両表面板１５と断熱性心材１７を貫通する取付孔１１ａ内に嵌合固定される円筒体１９ａにて形成されている。
【００２２】
更に、底壁体１１の下面には、架台２０の位置決め用ガイド３０が設けられている。この位置決め用ガイド３０は、図３及び図４に示すように、架台２０の両側位置を規制する少なくとも１組の側部ガイド部材３１と、架台２０の奥行き側位置を規制するストッパ兼用ガイド部材３２とで構成されている。
【００２３】
この場合、側部ガイド部材３１は、底壁体１１の下面に固着される取付片３３と、取付片３３の一側辺から略直角に状に折曲されるガイド片３４とからなるアングル材にて形成されている。また、側部ガイド部材３１は左右一対の２組の計４個設けられており、各側部ガイド部材３１におけるガイド片３４の架台挿入側の端部には、外側に向かって拡開するテーパ部３５が形成されている。なお、テーパ部３５は、必ずしも各側部ガイド部材３１のガイド片３４の架台挿入側の端部に設ける必要はなく、収納庫本体１０の前面側に位置する一対（１組）の側部ガイド部材３１のガイド片３４に設ければよい。
【００２４】
また、ストッパ兼用ガイド部材３２も側部ガイド部材３１と同様に、アングル材にて形成されている。すなわち、ストッパ兼用ガイド部材３２は、底壁体１１の下面に固着される取付片３６と、取付片３６の一側辺から略直角に状に折曲されるストッパ片３７とからなるアングル材にて形成されている。このストッパ兼用ガイド部材３２は左右２箇所に設けられている。
【００２５】
また、収納庫本体１０の対向する側壁体１２ａ，１２ｂの内方に、棚板５０が架設可能に形成されている。この場合、図９に示すように、側壁体１２ａ，１２ｂの内側面に例えばねじやリベット等の固定部材（図示せず）をもって垂直状に固定される断面略Ｗ字状の支持桟５１の適宜位置に複数の棚板嵌挿用切欠き５２を設けておき、任意の棚板嵌挿用切欠き５２内に棚板５０の端部を嵌挿することで、棚板５０を架設することができる。この場合、側壁体１３ｃの内側面にも同様に、棚板嵌挿用切欠き５２を有する支持桟５１を固定しておき、この支持桟５１の棚板嵌挿用切欠き５２に棚板５０の奥行き側端部を嵌挿する方がよい。このように、支持桟５１を断面略Ｗ字状に形成することにより、支持桟５１を側壁体１２ａ，１２ｂ，１３ｃに取り付けるときに、固定部材（図示せず）の頭部を支持桟５１より低くすることができるので、収容物Ｇを傷つけることがない。
【００２６】
なお、棚板５０の架設は、必ずしも平面視略Ｗ字状の支持桟５１に設けられた棚板嵌挿用切欠き５２内に嵌挿させて行うものである必要はない。例えば、平面視略Ｗ字状の支持桟５１に代えてチャンネル状の支持桟に棚板嵌挿用切欠き５２を設けて、同様に棚板５０を架設するようにしてもよい。あるいは、支持桟５１に代えてアングル状のブラケットを介して棚板５０を架設するようにしてもよい。
【００２７】
上記のようにして収納庫本体１０の対向する側壁体１２ａ，１２ｂ間に棚板５０を架設することができるので、例えば玄米等の収納物Ｇを棚板５０上に載置して整列収納することができる。なお、棚板５０上に載置された収納物Ｇの重量（荷重）Ｗは側壁体１２ａ，１２ｂが支持するので、側壁体１２ａ，１２ｂの下方側に設けられた上記補助アジャスタ４０によって重量（荷重）Ｗの一部を支持することができる。
【００２８】
なお、図１及び図２に示すように、開閉扉２における自由端側の表面には取手７０が装着されている。また、開閉扉２の内方面側における底壁体１１、側壁体１２ａ，１２ｂ，１２ｃ及び天井壁体１３の側端に当接する部位には、図１０に示すように、シールパッキン７０が装着されている。このシールパッキン７０によって開閉扉２が閉塞された状態では、収納庫本体１０内は外気と遮断されて、庫内を保温できるようになっている。
【００２９】
一方、架台２０は、収納庫本体１０の底壁体１１と床面Ｙとの間に挿入可能な枠体２１と、この枠体２１に設けられる貫通孔２２を介して挿入される工具例えばドライバＤによって高さ調節可能な複数例えば６個のアジャスタ２３とで主に構成されている。
【００３０】
この場合、枠体２１は、一対の長辺枠部材２１ｂと短辺枠部材２１ｃとからなる矩形状枠本体２１ａと、この矩形状枠本体２１ａの対向する長辺枠部材２１ｂの中間部に連結される中間枠部材２１ｄとで構成されている。これら矩形状枠本体２１ａの長辺枠部材２１ｂ、短辺枠部材２１ｃ及び中間枠部材２１ｄ等は、それぞれアルミニウム製の中空押出形材にて形成されている。
【００３１】
このように構成される枠体２１における短辺枠部材２１ｃ及び中間枠部材２１ｄの両側端部に、上記アジャスタ２３が高さ調節可能に装着されている。このアジャスタ２３は、図６ないし図８及び図１０に示すように、短辺枠部材２１ｃ及び中間枠部材２１ｄの下片２１ｅに設けられた透孔２１ｆに連通するように下片２１ｅの下面に固定されるダブルナット２４と、このダブルナット２４にねじ込まれるボルト２５と、このボルト２５の下端に一体に形成され、かつ下方に向かって拡開する略ラッパ状の設置脚部２６とで構成されており、ボルト２５の上端面に設けられたマイナスあるいはプラスの係合溝２７に係合する工具例えばドライバＤの操作によってボルト２５及び設置脚部２６が上下に移動して高さ調整が行われるようになっている。なお、設置脚部２６とボルト２５との連結部にあるボルト２５の頭部２５ａを用いて収納庫本体１０の外部から高さ調節することも可能である。なお、設置脚部２６が最も上方に位置しているときは、ボルト２５の上部は貫通孔２２の上方に突出している（図６参照）。
【００３２】
また、架台２０の枠体２１における一方の長辺枠部材２１ｂの外方側の中間部には、扉下がり防止部材６０が装着されている。扉下がり防止部材６０は、図１０及び図１１（ａ）に示すように、架台２０の枠体２１を構成する長辺枠部材２１ｂに、例えばねじやリベット等の固定部材（図示せず）をもって固定される固定片６１と、固定片６１の上端から水平方向に折曲される水平片６２と、水平片６２の先端上面に隆起する扉受け部６３と、固定片６１と水平片６２の側部に延在する側片６４とで構成されている。このように、架台２０の枠体２１｛具体的には、長辺枠部材２１ｂ｝に、扉下がり防止部材６０を突設（装着）することによって、開閉扉２の自由端部側が不用意に下方に傾斜して開閉扉２の開閉に支障をきたすのを防止することができる。したがって、開閉扉２の開閉を円滑にすることができると共に、開閉扉２の閉塞状態における収納庫本体１０の庫内と外気の遮断性の維持が図れ、かつ、収納庫本体１０の変形を防止することができ、収納庫本体１０の寿命の増大が図れる。
【００３３】
なお、ここでは、開閉扉２が観音開き式である場合について説明したが、観音開き式の開閉扉２に代えて片開き式の開閉扉２とすることもできる。この場合は、図１１（ｂ）に示すように、底壁体１１の開口部１４側辺の端部に扉下がり防止部材６０を装着（突設）すればよい。
【００３４】
次に、上記のように構成される収納庫１を設置する手順について、図５ないし図７を参照して説明する。まず、収納庫本体１０を設置する場所に移動する。この状態では、図５に示すように、キャスタ３が床面に接触しているので、収納庫本体１０の底壁体１１の下面と床面Ｙとの間に隙間Ｓが設けられている。次に、底壁体１１の下面と床面Ｙとの隙間Ｓ内に架台２０を挿入する。このとき、架台２０の両側は位置決め用ガイド３０の側部ガイド部材３１によって規制されながら奥行き側に挿入され、架台２０の奥行き側端部がストッパ兼用ガイド部材３２のストッパ片３７に当接すると、底壁体１１に設けられた工具案内用貫通孔１９と、架台２０に設けられた貫通孔２２が連通状態に位置決めされる（図６参照）。この状態で、底壁体１１に設けられた工具案内用貫通孔１９を介して工具例えばドライバＤをアジャスタ２３のボルト２５に設けられた係合溝２７に係合させて反時計方向に回転すると、固定されたダブルナット２４に対してボルト２５が下方に延びるように移動して、架台２０の上面を底壁体１１の下面に当接すると共に、設置脚部２６を床面Ｙに押し付ける。更に、ボルト２５が下方に移動すると、図７に示すように、架台２０の上面と設置脚部２６下面の距離ＳＬが当初の隙間Ｓより大きくなり、キャスタ３を床面Ｙから浮き上がらせる。このようにして、６個のアジャスタ２３を同様に高さ調節して、収納庫本体１０を架台２０上に設置する。なお、高さ調節を行った後、工具案内用貫通孔１９内に、目隠し用のキャップ５を嵌挿しておく方がよい（図７参照）。このようにして、アジャスタ２３の高さ調節を行った後、補助アジャスタ４０の高さ調節脚部４４を操作して、収納庫本体１０の高さ調節を行う。これにより、収納庫本体１０を水平状態に設置することができる。
【００３５】
また、収納庫１を移設する場合は、まず、上記操作の逆の操作を行って、アジャスタ２３のボルト２５及び設置脚部２６と共に補助アジャスタ４０の高さ調節脚部４４を上方に移動させて、収納庫本体１０をキャスタ３にて支持させる。次に、架台２０を収納庫本体１０の底壁体１１の下面と床面Ｙとの隙間Ｓから引き出して、収納庫本体１０を新たな設置場所に移動して、上述と同様の操作によって収納庫本体１０を架台２０上に設置すればよい。
【００３６】
なお、上記実施形態では、この発明の収納庫１を玄米収納庫に適用した場合について説明したが、玄米以外の収納物例えば野菜，果実あるいは飲料水等を収納する収納庫であってもよい。また、収納庫１を保冷式収納庫に適用することも可能である。この場合は、図１に二点鎖線で示すように、収納庫本体１０の天井壁体１３に通気口９０を設けると共に、この通気口９０に連通する、図示しない冷却器と送風ファンとからなる冷却ユニット１００を装備すればよい。
【００３７】
【発明の効果】
以上に説明したように、この発明は上記のように構成されているので、以下のような優れた効果が得られる。
【００３８】
１）請求項１記載の発明によれば、設置したい場所に収納庫本体を移動した後、収納庫本体の下部に架台を挿入し、収納庫本体の底壁体に設けられた工具案内貫通孔と架台に設けられた貫通孔を介して挿入される工具をもってアジャスタを高さ調節することにより、キャスタを床面から浮き上がらせた状態にして、収納庫本体の荷重を架台にて支持することができるので、収納庫本体自体を堅牢な構造とする必要がなく、軽量にすることができる。また、床面が平坦でなく、凹凸を有する場合においても、各アジャスタを高さ調節することにより、収納庫本体を容易に水平にすることができる。
【００３９】
２）請求項２記載の発明によれば、位置決め用ガイドを、架台の両側位置を規制する少なくとも１組の側部ガイド部材と、架台の奥行き側位置を規制するストッパ兼用ガイド部材とで構成するので、上記１）に加えて更に収納庫本体と床面との間への架台の挿入を容易にすることができると共に、収納庫本体の工具案内用貫通孔と、架台の貫通孔とを正確に連通状態に位置決めすることができる。この場合、側部ガイド部材における架台挿入側の端部に、外側に向かって拡開するテーパ部を形成することにより、更に架台の挿入を容易にすることができる（請求項３）。
【００４０】
３）請求項４記載の発明によれば、収納庫本体内に架設された棚板に載置される収納物の荷重を受ける側壁体を補助アジャスタにて支持することができるので、収納庫本体及び収納庫本体内に収納される収納物の荷重（重量）を、架台に装着された複数のアジャスタと、収納庫本体の側壁体の下面に設けられた補助アジャスタとで分散して支持する（受ける）ことができ、収納庫全体強度を向上させることができる。
【００４１】
４）請求項５記載の発明によれば、架台の枠体に、開閉扉の自由端側下部の下がりを防止する扉下がり防止部材を装着することにより、不用意に開閉扉の自由端側が下がるのを防止することができる。したがって、開閉扉の開閉を円滑にすることができると共に、開閉扉の閉塞状態における収納庫内と外気の遮断性の維持が図れ、かつ、収納庫本体の変形を防止することができ、収納庫本体の寿命の拡大が図れる。
【図面の簡単な説明】
【図１】この発明に係る収納庫の第一実施形態の一例を示すもので、一部を断面で示す斜視図である。
【図２】上記収納庫の一部を断面で示す正面図である。
【図３】上記収納庫の底面図である。
【図４】この発明における架台と収納庫本体の底部とを示す分解斜視図である。
【図５】上記収納庫を設置する前の状態を示す要部断面図である。
【図６】上記収納庫本体の下方に架台を挿入した状態を示す要部断面図である。
【図７】上記収納庫を設置する状態を示す要部断面図である。
【図８】図２のＩ部拡大断面図である。
【図９】この発明における棚板の架設部を示す断面斜視図である。
【図１０】この発明における扉下がり防止部材の取付状態を示す断面図である。
【図１１】上記扉下がり防止部材の取付状態を示す斜視図（ａ）及び別の扉下がり防止部材の取付状態を示す斜視図（ｂ）である。
【符号の説明】
２　開閉扉
３　キャスタ
１０　収納庫本体
１１　底壁体
１２ａ，１２ｂ，１２ｃ　側壁体
１３　天井壁体
１４　開口部
１９　工具案内用貫通孔
２０　架台
２１　枠体
２２　貫通孔
２３　アジャスタ
３０　位置決めガイド
３１　側部ガイド部材
３２　ストッパ兼用ガイド部材
３５　テーパ部
４０　補助アジャスタ
５０　棚板
５１　支持桟
５２　棚板嵌挿用切欠き
６０　扉下がり防止部材
Ｄ　ドライバ（工具）
Ｇ　収納物
Ｓ　底壁体の下面と床面との隙間
Ｙ　床面
【図１】
2004016610.tif 000003
【図２】
2004016610.tif 000004
【図３】
2004016610.tif 000005
【図４】
2004016610.tif 000006
【図５】
2004016610.tif 000007
【図６】
2004016610.tif 000008
【図７】
2004016610.tif 000009
【図８】
2004016610.tif 000010
【図９】
2004016610.tif 000011
【図１０】
2004016610.tif 000012
【図１１】
2004016610.tif 000013